(57)【特許請求の範囲】
【請求項１】
物品及びサービスの代金清算を電子マネーで行う清算用ＩＣカードと、物品及びサービスの代金徴収を電子マネーで行う徴収用ＩＣカードと、物品及びサービスの代金の回収を電子マネーで行う集金用ＩＣカードとを、取り扱い可能で、上記徴収用ＩＣカードを装着した状態で、上記清算用ＩＣカードまたは上記集金用ＩＣカードが選択的に装着可能とされ、代金清算のために上記清算用ＩＣカードが装着されると、上記清算用ＩＣカードから上記徴収用ＩＣカードに金額情報の移動を行う機能を有するＩＣカード読み書き装置であって、
当該ＩＣカード読み書き装置において電子マネーを回収することが許可されている上記集金用ＩＣカードが装着されたとき、自動的に上記徴収用ＩＣカードから上記集金用ＩＣカードへ金額情報を移動させることを特徴とするＩＣカード読み書き装置。
【請求項２】
請求項１記載において、
前記集金用ＩＣカードには、特定のＩＣカード読み書き装置において電子マネーを回収することが許可されている集金用カードであることを示す特有なカードＩＤコードが書き込まれていることを特徴とするＩＣカード読み書き装置。
【請求項３】
請求項１または２記載において、
前記徴収用ＩＣカード中には、当該ＩＣカード読み書き装置において電子マネーを回収することが許可されている集金用カードであることを示す特有なカードＩＤコードが書き込まれていることを特徴とするＩＣカード読み書き装置。
【請求項４】
請求項１または２記載において、
前記ＩＣカード読み書き装置には、当該ＩＣカード読み書き装置において電子マネーを回収することが許可されている集金用カードであることを示す特有なカードＩＤコードが書き込まれていることを特徴とするＩＣカード読み書き装置。
【請求項５】
請求項３または４記載において、
前記した当該ＩＣカード読み書き装置において電子マネーを回収することが許可されている集金用カードであることを示す前記カードＩＤコードを、入力手段を介して前記ＩＣカード読み書き装置が設定できる機能をもつことを特徴とするＩＣカード読み書き装置。
【請求項６】
物品及びサービスの代金清算を電子マネーで行う清算用ＩＣカードと、物品及びサービスの代金徴収を電子マネーで行う徴収用ＩＣカードと、物品及びサービスの代金の回収を電子マネーで行う集金用ＩＣカードとを、取り扱い可能で、上記徴収用ＩＣカードを装着した状態で、上記清算用ＩＣカードまたは上記集金用ＩＣカードが選択的に装着可能とされ、代金清算のために上記清算用ＩＣカードが装着されると、上記清算用ＩＣカードから上記徴収用ＩＣカードに金額情報の移動を行う機能を有するＩＣカード読み書き装置であって、
上記集金用ＩＣカードが装着されたとき、自動的に暗証番号データの入力要求を行い、入力された暗証番号データが、当該ＩＣカード読み書き装置において電子マネーを回収することが許可されている暗証番号データである場合、自動的に上記徴収用ＩＣカードから上記集金用ＩＣカードへ電子マネー情報を移動させることを特徴とするＩＣカード読み書き装置。
【請求項７】
請求項６記載において、
前記徴収用ＩＣカード中には、前記した当該ＩＣカード読み書き装置において電子マネーを回収することが許可されている前記暗証番号データが書き込まれていることを特徴とするＩＣカード読み書き装置。
【請求項８】
請求項６記載において、
前記ＩＣカード読み書き装置には、前記した当該ＩＣカード読み書き装置において電子マネーを回収することが許可されている前記暗証番号データが書き込まれていることを特徴とするＩＣカード読み書き装置。
【請求項９】
請求項７または８記載において、
前記した当該ＩＣカード読み書き装置において電子マネーを回収することが許可されている前記暗証番号データを、入力手段を介して前記ＩＣカード読み書き装置が設定できる機能をもつことを特徴とするＩＣカード読み書き装置。
【請求項１０】
請求項６記載において、
前記した暗証番号データの入力要求を行う前に、装着された前記集金用ＩＣカード中に、当該ＩＣカード読み書き装置において電子マネーを回収することが許可されている集金用カードであることを示す特有なカードＩＤコードが書き込まれている否かの確認を行い、書き込まれている場合のみ前記した暗証番号データの入力要求を行うことを特徴とするＩＣカード読み書き装置。
【請求項１１】
物品及びサービスの代金清算を電子マネーで行う清算用ＩＣカードと、物品及びサービスの代金徴収を電子マネーで行う徴収用ＩＣカードとを、取り扱い可能で、上記徴収用ＩＣカードを装着した状態で、代金清算のために上記清算用ＩＣカードが装着されると、上記清算用ＩＣカードから上記徴収用ＩＣカードに金額情報の移動を行う機能を有するとともに、通信回線を介してホストマシンと接続可能な通信手段をもつＩＣカード読み書き装置であって、
上記徴収用ＩＣカードにある指定された量の金額情報が蓄積されると、上記通信手段により上記通信回線を介して、上記徴収用ＩＣカードから金額情報を回収する機能を持つ上記ホストマシンへ金額情報を移動させることを特徴とするＩＣカード読み書き装置。
【請求項１２】
物品及びサービスの代金清算を電子マネーで行う清算用ＩＣカードと、物品及びサービスの代金徴収を電子マネーで行う徴収用ＩＣカードとを、取り扱い可能で、上記徴収用ＩＣカードを装着した状態で、代金清算のために上記清算用ＩＣカードが装着されると、上記清算用ＩＣカードから上記徴収用ＩＣカードに金額情報の移動を行う機能を有するとともに、通信回線を介してホストマシンと接続可能な通信手段をもつＩＣカード読み書き装置であって、
ある指定された時間になると、上記通信手段により上記通信回線を介して、上記徴収用ＩＣカードから金額情報を回収する機能を持つ上記ホストマシンへ金額情報を移動させることを特徴とするＩＣカード読み書き装置。
【請求項１３】
物品及びサービスの代金清算を電子マネーで行う清算用ＩＣカードと、物品及びサービスの代金徴収を電子マネーで行う徴収用ＩＣカードとを、取り扱い可能で、上記徴収用ＩＣカードを装着した状態で、代金清算のために上記清算用ＩＣカードが装着されると、上記清算用ＩＣカードから上記徴収用ＩＣカードに金額情報の移動を行う機能を有するＩＣカード読み書き装置であって、
当該ＩＣカード読み書き装置において電子マネーを回収することが許可されている集金用携帯端末が接続されたとき、自動的に上記徴収用ＩＣカードから上記集金用携帯端末へ金額情報を移動させることを特徴とするＩＣカード読み書き装置。
【請求項１４】
請求項１３記載において、
前記集金用携帯端末には、特定のＩＣカード読み書き装置において電子マネーを回収することが許可されている集金用携帯端末であることを示す特有な端末ＩＤコードが書き込まれており、前記徴収用ＩＣカード中には、当該ＩＣカード読み書き装置において電子マネーを回収することが許可されている集金用携帯端末であることを示す特有な端末ＩＤコードが書き込まれていることを特徴とするＩＣカード読み書き装置。
【請求項１５】
請求項１３記載において、
前記集金用携帯端末には、特定のＩＣカード読み書き装置において電子マネーを回収することが許可されている集金用携帯端末であることを示す特有な端末ＩＤコードが書き込まれており、前記ＩＣカード読み書き装置には、当該ＩＣカード読み書き装置において電子マネーを回収することが許可されている集金用携帯端末であることを示す特有な端末ＩＤコードが書き込まれていることを特徴とするＩＣカード読み書き装置。
【請求項１６】
物品及びサービスの代金清算を電子マネーで行う清算用ＩＣカードと、物品及びサービスの代金徴収を電子マネーで行う徴収用ＩＣカードとを、取り扱い可能で、上記徴収用ＩＣカードを装着した状態で、代金清算のために上記清算用ＩＣカードが装着されると、上記清算用ＩＣカードから上記徴収用ＩＣカードに金額情報の移動を行う機能を有するＩＣカード読み書き装置であって、
集金用携帯端末が装着されたとき、自動的に暗証番号データの入力要求を行い、入力された暗証番号データが、当該ＩＣカード読み書き装置において電子マネーを回収することが許可されている暗証番号データである場合、自動的に上記徴収用ＩＣカードから上記集金用携帯端末へ金額情報を移動させることを特徴とするＩＣカード読み書き装置。
【請求項１７】
請求項１６記載において、
前記徴収用ＩＣカード中には、前記した当該ＩＣカード読み書き装置において電子マネーを回収することが許可されている前記暗証番号データが書き込まれていることを特徴とするＩＣカード読み書き装置。
【請求項１８】
請求項１６記載において、
前記ＩＣカード読み書き装置には、前記した当該ＩＣカード読み書き装置において電子マネーを回収することが許可されている前記暗証番号データが書き込まれていることを特徴とするＩＣカード読み書き装置。
【請求項１９】
請求項１６記載において、
前記した暗証番号データの入力要求を行う前に、接続された前記集金用携帯端末中に、当該ＩＣカード読み書き装置において電子マネーを回収することが許可されている集金用携帯端末であることを示す特有な端末ＩＤコードが書き込まれている否かの確認を行い、書き込まれている場合のみ前記した暗証番号データの入力要求を行うことを特徴とするＩＣカード読み書き装置。
【請求項２０】
請求項１乃至１９の何れか１つに記載において、
回収する金額情報量を、回収者が選択できる機能を付加したことを特徴とするＩＣカード読み書き装置。
【請求項２１】
物品及びサービスの代金清算を電子マネーで行う清算用ＩＣカードと、物品及びサービスの代金徴収を電子マネーで行う徴収用ＩＣカードと、物品及びサービスの代金の回収を電子マネーで行う集金用ＩＣカードとを、取り扱い可能で、上記徴収用ＩＣカードを装着した状態で、上記清算用ＩＣカードまたは上記集金用ＩＣカードが選択的に装着可能とされ、代金清算のために上記清算用ＩＣカードが装着されると、上記清算用ＩＣカードから上記徴収用ＩＣカードに金額情報の移動を行う機能を有するＩＣカード読み書き装置であって、上記集金用ＩＣカードが装着されたとき、自動的に上記徴収用ＩＣカードから上記集金用ＩＣカードへ金額情報を移動させることを特徴とするＩＣカード読み書き装置。
【発明の詳細な説明】
【０００１】
【発明の属する技術分野】
本発明は、ＩＣカード読み書き装置に係り、特に、電子マネー機能をもつＩＣカードを取り扱う、金額情報（電子マネー）の移動機能を有するＩＣカード読み書き装置に関する。
【０００２】
【従来の技術】
例えば、自動販売機などに内蔵もしくは付設して、電子マネー機能をもつＩＣカードを取り扱うためのＩＣカード読み書き装置を設け、このＩＣカード読み書き装置で、利用者が自動販売機で購入した商品の代金を、ＩＣカードによる電子マネーで徴収するようにしたシステムが考えられる。
【０００３】
この場合、上記ＩＣカード読み書き装置には、２つのカード装着部を設けて、一方のカード装着部を、徴収用（商品販売者用）ＩＣカード専用のカード装着部とし、他方のカード装着部を、利用者が清算用（商品購入者用）ＩＣカードを抜き差しするためのカード装着部とし、ＩＣカード読み書き装置内に徴収用ＩＣカードを装着した状態で、利用者が装着した清算用ＩＣカードから、利用者が自動販売機で購入した商品の代金に相当する電子マネーを、徴収用ＩＣカードに移動させることによって、代金の徴収を行うことになる。
【０００４】
ところで、従来技術においては、ＩＣカード読み書き装置内の徴収用ＩＣカードの金額情報（電子マネー）を回収する場合には、徴収用ＩＣカードを自動販売機のＩＣカード読み書き装置の中から抜き出して、この徴収用ＩＣカードを然るべき場所（例えば銀行等）に設置された専用のＩＣカード読み書き装置に装着して、徴収用ＩＣカードの金額情報を、例えば自口座に移動させるという使い方が想定されていた。
【０００５】
【発明が解決しようとする課題】
上記したように従来のシステムでは、自動販売機などの機器に設けられたＩＣカード読み書き装置内の徴収用ＩＣカードの金額情報（電子マネー）を回収するに際しては、徴収用ＩＣカードをＩＣカード読み書き装置の中から抜き出して、然るべき場所（例えば銀行等）に設置された専用のＩＣカード読み書き装置に装着し、金額情報（電子マネー）を移動させてから、徴収用ＩＣカードを元のＩＣカード読み書き装置に再装着しなければならなかった。このため、徴収用ＩＣカードからの金額情報（電子マネー）の回収が、面倒で手間がかかるという指摘があった。
【０００６】
本発明は上記の点に鑑みなされたもので、その目的とするところは、ＩＣカード読み書き装置の中の徴収用ＩＣカードをいちいち抜き出さなくても、金額情報（電子マネー）の回収を可能とする、徴収用ＩＣカードからの金額情報の回収が簡単・容易なＩＣカード読み書き装置システムを提供することにある。
【０００７】
【課題を解決するための手段】
上記した目的を達成するため、本発明においては、例えば、集金専用とされた集金用（商品販売者金額回収専用）ＩＣカードを設ける。そして、ＩＣカード読み書き装置内に徴収用（商品販売者用）ＩＣカードが装着された状態で、上記集金用ＩＣカードをＩＣカード読み書き装置に装着し、装着された集金用ＩＣカードが、当該ＩＣカード読み書き装置において電子マネーを回収することが許可されている集金用ＩＣカードであると、ＩＣカード読み書き装置が判断すると、徴収用ＩＣカードから集金用ＩＣカードに自動的に金額情報（電子マネー）を移動させる。斯様にすることにより、ＩＣカード読み書き装置の中の徴収用ＩＣカードを抜き出さなくても、徴収用ＩＣカードの中の金額情報を回収することができる。
【０００８】
【発明の実施の形態】
以下、本発明の実施の形態を、図面を用いて説明する。
図１は、本発明の第１実施形態に係るＩＣカード読み書き装置の構成図で、本実施形態を含め以下の各実施形態は、自動販売機に本発明によるＩＣカード読み書き装置を接続した場合への適用例である。
【０００９】
図１において、１はＩＣカード読み書き装置で、自動販売機１４に内蔵・接続されており、ＩＣカード読み書き装置１は、２枚のＩＣカード間で金額情報（電子マネー）の移動を行うことのできるものとなっている。また、ＩＣカード読み書き装置１は、マイコン２と、記憶手段３と、外部インターフェース部４と、カード装着手段５と、カード装着手段６とを具備しており、マイコン２は、予め格納された各種プログラムなどによって具現化される電子マネー制御部２ａやＩＤ比較制御部２ｂなどを用いて、電子マネー制御やＩＤ比較制御等々を行なう。７は商品販売者用ＩＣカード（徴収用ＩＣカード）で、このＩＣカード７は、通常時にはカード装着手段５に装着（格納）されている。８は商品販売者金額回収専用ＩＣカード（集金用ＩＣカード）、９は商品購入者用ＩＣカード（清算用ＩＣカード）で、この２つのＩＣカード８，９は、カード装着手段６に選択的に装着される。
【００１０】
上記した構成のＩＣカード読み書き装置１の動作を、図２のフローチャートに基づいて説明する。
ＩＣカード読み書き装置１の一方のカード装着手段５には、商品販売者用ＩＣカード７が格納（装着）されている。この状態で、他方のカード装着手段６にＩＣカードが挿入（装着）されると（Ｓ２−１でＹＥＳとなると）、挿入されたＩＣカードが、このＩＣカード読み書き装置１で使用可能なものか否かを、ＩＣカードからのＡＴＲ（Answer To Reset ）による情報で、マイコン２が判別する（Ｓ２−２）。使用可能なＩＣカードの場合には、次に、商品購入者用ＩＣカード９か商品販売者金額回収専用ＩＣカード８かの判別を、マイコン２が行う（Ｓ２−３）。また、ＩＣカードが使用可能と判断されなかった場合には、カード利用者に対して、挿入されたＩＣカードが取引不可のものである旨を通知する（Ｓ２−８）。
【００１１】
商品販売者金額回収専用カード８には、集金用の専用ＩＣカードであることを示す特有のカードＩＤコードの他に、特定のＩＣカード読み書き装置１のみにおいて金額情報（電子マネー）を回収することが許可されているＩＣカードであることを示す特有のカードＩＤコードが書き込まれている。そして、挿入されたＩＣカードが商品販売者金額回収専用カード８と判別された場合には、商品販売者用ＩＣカード７の中に記載されている、当該ＩＣカード読み書き装置１において金額情報（電子マネー）を回収することが許可されている（すなわち、集金することが許可されている）ことを示すカードＩＤを、マイコン２が読み込む（Ｓ２−４）。さらに、挿入された商品販売者金額回収専用カード８の中に記載されている、上記した特定のＩＣカード読み書き装置１のみにおいて金額情報を回収することが許可されているＩＣカードであることを示すカードＩＤを、マイコン２が読み込む（Ｓ２−５）。そして次に、読み込んだ２つのカードＩＤの比較をマイコン２が行う（Ｓ２−６）。
【００１２】
また、カード装着手段６に挿入されたＩＣカードが、商品販売者金額回収専用ＩＣカード８ではないと、マイコン２が判定した場合には（Ｓ２−３でＮＯの場合には）、挿入されたＩＣカードが商品購入者用ＩＣカード９と判断して、自動販売機１４の押されたボタンに対応した金額情報の移動を、商品購入者用ＩＣカード９から商品販売者用ＩＣカード７に行う（Ｓ２−９）。
【００１３】
そして、読み込んだ２つの上記したカードＩＤが等しい場合には、商品販売者用ＩＣカード７の中の自動販売機１４の売り上げの金額情報（電子マネー）を、商品販売者金額回収専用ＩＣカード８にマイコン２が移動させる（Ｓ２−７）。これにより、自動販売機１４の売り上げを、商品販売者金額回収専用ＩＣカード８によって回収することができる。また、読み込んだ２つの上記したカードＩＤが等しくない場合には、挿入された商品販売者回収専用ＩＣカード８では、このＩＣカード読み書き装置１においては、金額情報の回収ができない旨を、カード利用者に対して通知する（Ｓ２−１０）。
【００１４】
図３は、本発明の第２実施形態に係るＩＣカード読み書き装置の構成図であり、同図において、先に述べた実施形態と均等な構成要素には同一符号を付し、その説明は重複を避けるため割愛する（これは、以下の各実施形態においても同様である）。
【００１５】
本実施形態が先の第１実施形態と相違するのは、前記第１実施形態においては、カード装着手段５に格納された商品販売者用ＩＣカード７に、前記した当該ＩＣカード読み書き装置１において金額情報（電子マネー）を回収することが許可されていることを示すカードＩＤを記憶させていたものを、商品販売者用ＩＣカード７ではなく、ＩＣカード読み書き装置１の記憶手段３に、前記した当該ＩＣカード読み書き装置１において金額情報を回収することが許可されていることを示すカードＩＤを記憶させている点にある。
【００１６】
上記した構成のＩＣカード読み書き装置１の動作を、図４のフローチャートに基づいて説明する。
ＩＣカード読み書き装置１の一方のカード装着手段５には、商品販売者用ＩＣカード７が格納されている。この状態で、他方のカード装着手段６にＩＣカードが挿入されると（Ｓ４−１でＹＥＳとなると）、挿入されたＩＣカードが、このＩＣカード読み書き装置１で使用可能なものか否かを、マイコン２が判別する（Ｓ４−２）。使用可能なＩＣカードの場合には、次に、商品購入者用ＩＣカード９か商品販売者金額回収専用ＩＣカード８かの判別を、マイコン２が行う（Ｓ４−３）。また、ＩＣカードが使用可能と判断されなかった場合には、カード利用者に対して、挿入されたＩＣカードが取引不可のものである旨を通知する（Ｓ４−８）。
【００１７】
挿入されたＩＣカードが商品販売者金額回収専用カード８と判別された場合は、記憶手段３の中に記載されている、前記した当該ＩＣカード読み書き装置１において金額情報を回収することが許可されていることを示すカードＩＤを、マイコン２が読み込む（Ｓ４−４）。さらに、挿入された商品販売者金額回収専用カード８の中に記載されている、前記した特定のＩＣカード読み書き装置１のみにおいて金額情報を回収することが許可されているＩＣカードであることを示すカードＩＤを、マイコン２が読み込む（Ｓ４−５）。そして次に、読み込んだ２つのカードＩＤの比較をマイコン２が行う（Ｓ２−６）。
【００１８】
また、カード装着手段６に挿入されたＩＣカードが、商品販売者金額回収専用ＩＣカード８ではないと、マイコン２が判定した場合には（Ｓ４−３でＮＯの場合には）、挿入されたＩＣカードが商品購入者用ＩＣカード９と判断して、自動販売機１４の押されたボタンに対応した金額情報の移動を、商品購入者用ＩＣカード９から商品販売者用ＩＣカード７に行う（Ｓ４−９）。
【００１９】
そして、読み込んだ２つの上記したカードＩＤが等しい場合には、商品販売者用ＩＣカード７の中の自動販売機１４の売り上げの金額情報を、商品販売者金額回収専用ＩＣカード８にマイコン２が移動させる（Ｓ４−７）。これにより、自動販売機１４の売り上げを、商品販売者金額回収専用ＩＣカード８によって回収することができる。また、読み込んだ２つの上記したカードＩＤが等しくない場合には、挿入された商品販売者金額回収専用ＩＣカード８では、このＩＣカード読み書き装置１においては、金額情報の回収ができない旨を、カード利用者に対して通知する（Ｓ４−１０）。
【００２０】
上述した第１および第２実施形態において、ＩＣカード読み書き装置１に付設もしくは必要に応じて接続されるキー入力装置などの入力装置によって、前記した当該ＩＣカード読み書き装置１において金額情報を回収することが許可されていることを示すカードＩＤの情報を、商品販売者用ＩＣカード７または記憶手段３に設定できるようにしても、差し支えない。あるいは、ＩＣカード読み書き装置１に付設もしくは必要に応じて接続されるキー入力装置などの入力装置によって、前記した特定のＩＣカード読み書き装置１のみにおいて金額情報を回収することが許可されていることを示すカードＩＤの情報を、商品販売者金額回収専用ＩＣカード８に設定できるようにしても、差し支えない。
【００２１】
また、上述した第１および第２実施形態においては、商品販売者金額回収専用ＩＣカードであると判定した後、この商品販売者金額回収専用ＩＣカードが、当該ＩＣカード読み書き装置１において金額情報を回収することが許可されているものであるか否かの判定を行っているが、場合によっては、商品販売者金額回収専用ＩＣカードであると判定しただけで、商品販売者用ＩＣカード７の中の金額情報を、商品販売者金額回収専用ＩＣカード８に移動させるようにしてもよい。
【００２２】
図５は、本発明の第３実施形態に係るＩＣカード読み書き装置の構成図であり、同図において、１０はＩＣカード読み書き装置１に付設された入力装置、２ｃは暗証番号の一致／不一致を認識する暗証番号認識部、２ｄは入力装置１０からの入力データを適宜に処理する入力部である。
【００２３】
本実施形態において使用する商品販売者用ＩＣカード７には、前記した当該ＩＣカード読み書き装置１において金額情報を回収することが許可されているＩＣカードであることを示すカードＩＤと、当該ＩＣカード読み書き装置１において金額情報を回収することが許可されているＩＣカードの所持者であることを示す特有の暗証番号とが、記載されている。また、商品販売者金額回収専用ＩＣカード８には、同様に、前記した特定のＩＣカード読み書き装置１のみにおいて金額情報を回収することが許可されているＩＣカードであることを示すカードＩＤと、特定のＩＣカード読み書き装置１のみにおいて金額情報を回収することが許可されているＩＣカードの所持者であることを示す特有の暗証番号とが、記載されている。
【００２４】
上記した構成のＩＣカード読み書き装置１の動作を、図６のフローチャートに基づいて説明する。
ＩＣカード読み書き装置１の一方のカード装着手段５には、商品販売者用のＩＣカード７が格納されている。この状態で、他方のカード装着手段６にＩＣカードが挿入されると（Ｓ６−１でＹＥＳとなると）、挿入されたＩＣカードが、このＩＣカード読み書き装置１で使用可能なものか否かを、マイコン２が判別する（Ｓ６−２）。使用可能なＩＣカードの場合には、次に、商品購入者用ＩＣカード９か商品販売者金額回収専用ＩＣカード８かの判別を、マイコン２が行う（Ｓ６−３）。また、ＩＣカードが使用可能と判断されなかった場合には、カード利用者に対して、挿入されたＩＣカードが取引不可のものである旨を通知する（Ｓ６−１１）。
【００２５】
挿入されたＩＣカードが商品販売者金額回収専用カード８と判別された場合は、商品販売者用ＩＣカード７の中に記載されている、当該ＩＣカード読み書き装置１において金額情報を回収することが許可されていることを示すカードＩＤを、マイコン２が読み込む（Ｓ６−４）。さらに、挿入された商品販売者金額回収専用カード８の中に記載されている、特定のＩＣカード読み書き装置１のみにおいて金額情報を回収することが許可されているＩＣカードであることを示すカードＩＤを、マイコン２が読み込む（Ｓ６−５）。そして次に、読み込んだ２つのカードＩＤの比較をマイコン２が行う（Ｓ６−６）。また、挿入されたＩＣカードが、商品販売者金額回収専用ＩＣカード８ではないと判別された場合には、挿入されたＩＣカードが商品購入者用ＩＣカード９と判断して、自動販売機１４の押されたボタンに対応した金額情報の移動を、商品購入者用ＩＣカード９から商品販売者用ＩＣカード７に行う（Ｓ６−１２）。
【００２６】
そして、読み込んだ２つの上記したカードＩＤが等しい場合には、マイコン２は、カード利用者に対して、入力装置１０によって暗証番号を入力することを要求して、入力された暗証番号を認知する（Ｓ６−７）とともに、商品販売者用ＩＣカード７の中に記載されている暗証番号を読み出し（Ｓ６−８）、２つの暗証番号が一致するか否かを判定する（Ｓ６−９）。また、読み込んだ２つの上記しカードＩＤが等しくない場合には、挿入された商品販売者回収専用ＩＣカード８では、このＩＣカード読み書き装置１においては、金額情報の回収ができない旨を、カード利用者に対して通知する（Ｓ６−１３）。
【００２７】
上記した２つの暗証番号が等しい場合には、マイコン２は、正しい暗証番号が入力されたと（適正なＩＣカードの所持者であると）判断して、商品販売者用ＩＣカード７の中の自動販売機１４の売り上げの金額情報を、商品販売者金額回収専用ＩＣカード８に移動させる（Ｓ６−１０）。これにより、自動販売機１４の売り上げを、商品販売者金額回収専用ＩＣカード８によって回収することができる。また、２つの暗証番号が等しくない場合には、入力された暗証番号が正しくないことを、カード利用者に対して通知する（Ｓ６−１４）。
【００２８】
図７は、本発明の第４実施形態に係るＩＣカード読み書き装置の構成図である。本実施形態が先の第３実施形態と相違するのは、前記第３実施形態においては、商品販売者用ＩＣカード７に、前記した当該ＩＣカード読み書き装置１において金額情報を回収することが許可されているＩＣカードであることを示すカードＩＤと、前記した当該ＩＣカード読み書き装置１において金額情報を回収することが許可されているＩＣカードの所持者であることを示す暗証番号とを記憶させていたものを、商品販売者用ＩＣカード７ではなく、ＩＣカード読み書き装置１の記憶手段３に記憶させている点にある。
【００２９】
上記した構成のＩＣカード読み書き装置１の動作を、図８のフローチャートに基づいて説明する。
ＩＣカード読み書き装置１の一方のカード装着手段５には、商品販売者用のＩＣカード７が格納されている。この状態で、他方のカード装着手段６にＩＣカードが挿入されると（Ｓ８−１でＹＥＳとなると）、挿入されたＩＣカードが、このＩＣカード読み書き装置１で使用可能なものか否かを、マイコン２が判別する（Ｓ８−２）。使用可能なＩＣカードの場合には、次に、商品購入者用ＩＣカード９か商品販売者金額回収専用ＩＣカード８かの判別を、マイコン２が行う（Ｓ８−３）。また、ＩＣカードが使用可能と判断されなかった場合には、カード利用者に対して、挿入されたＩＣカードが取引不可のものである旨を通知する（Ｓ８−１１）。
【００３０】
挿入されたＩＣカードが商品販売者金額回収専用カード８と判別された場合は、記憶手段３の中に記載されている、当該ＩＣカード読み書き装置１において金額情報を回収することが許可されていることを示すカードＩＤを、マイコン２が読み込む（Ｓ８−４）。さらに、挿入された商品販売者金額回収専用カード８の中に記載されている、特定のＩＣカード読み書き装置１のみにおいて金額情報を回収することが許可されているＩＣカードであることを示すカードＩＤを、マイコン２が読み込む（Ｓ８−５）。そして次に、読み込んだ２つのカードＩＤの比較をマイコン２が行う（Ｓ８−６）。また、挿入されたＩＣカードが、商品販売者金額回収専用ＩＣカード８ではないと判別された場合には、挿入されたＩＣカードが商品購入者用ＩＣカード９と判断して、自動販売機１４の押されたボタンに対応した金額情報の移動を、商品購入者用ＩＣカード９から商品販売者用ＩＣカード７に行う（Ｓ８−１２）。
【００３１】
そして、読み込んだ２つの上記したカードＩＤが等しい場合には、マイコン２は、カード利用者に対して、入力装置１０によって暗証番号を入力することを要求して、入力された暗証番号を認知する（Ｓ８−７）とともに、記憶手段３の中に記載されている暗証番号を読み出し（Ｓ８−８）、２つの暗証番号が一致するか否かを判定する（Ｓ８−９）。また、読み込んだ２つの上記したカードＩＤが等しくない場合には、挿入された商品販売者回収専用ＩＣカード８では、このＩＣカード読み書き装置１においては、金額情報の回収ができない旨を、カード利用者に対して通知する（Ｓ８−１３）。
【００３２】
上記した２つの暗証番号が等しい場合には、マイコン２は、正しい暗証番号が入力されたと（適正なＩＣカードの所持者であると）判断して、商品販売者用ＩＣカード７の中の自動販売機１４の売り上げの金額情報を、商品販売者金額回収専用ＩＣカード８に移動させる（Ｓ８−１０）。これにより、自動販売機１４の売り上げを、商品販売者金額回収専用ＩＣカード８によって回収することができる。また、２つの暗証番号が等しくない場合には、入力された暗証番号が正しくないことを、カード利用者に対して通知する（Ｓ８−１４）。
【００３３】
上述した第３および第４実施形態において、ＩＣカード読み書き装置１に付設されている入力装置１０によって、前記した当該ＩＣカード読み書き装置１において金額情報を回収することが許可されていることを示すカードＩＤの情報、および／または、前記した当該ＩＣカード読み書き装置１において金額情報を回収することが許可されているＩＣカードの所持者であることを示す暗証番号の情報を、商品販売者用ＩＣカード７または記憶手段３に設定できるようにしても、差し支えない。あるいは、ＩＣカード読み書き装置１に付設されている入力装置１０によって、前記した特定のＩＣカード読み書き装置１のみにおいて金額情報を回収することが許可されていることを示すカードＩＤの情報、および／または、前記した特定のＩＣカード読み書き装置１のみにおいて金額情報を回収することが許可されているＩＣカードの所持者であることを示す暗証番号の情報を、商品販売者金額回収専用ＩＣカード８に設定できるようにしても、差し支えない。
【００３４】
また、上述した第３および第４実施形態においては、前記の暗証番号を商品販売者金額回収専用ＩＣカード８に書き込んでいるが、場合によっては、暗証番号は、商品販売者金額回収専用ＩＣカード８に記載しないようにしても、差し支えない。
【００３５】
また、上述した第３および第４実施形態においては、商品販売者金額回収専用ＩＣカードであると判定した後、この商品販売者金額回収専用ＩＣカードが、当該ＩＣカード読み書き装置１において金額情報を回収することが許可されているＩＣカードである否かの判定をカードＩＤの比較で行い、さらに、ＩＣカードの所持者が適正か否かの判定を暗証番号の比較で行っているが、場合によっては、商品販売者金額回収専用ＩＣカードであると判定した後、暗証番号が一致するという条件だけで、商品販売者用ＩＣカード７の中の金額情報を、商品販売者金額回収専用ＩＣカード８に移動させるようにしてもよい。
【００３６】
図９は、本発明の第５実施形態に係るＩＣカード読み書き装置の構成図であり、同図において、１１は、ＩＣカード読み書き装置１に付設され公衆回線に接続されたモデム等の通信手段、１２は公衆回線、１３は公衆回線に接続されたホストマシン（ホストコンピュータ）、２ｅは残高情報の比較を行う残高比較制御部、２ｆは通信手段１１を介して外部と通信を行うための通信制御部である。
【００３７】
また、本実施形態におけるＩＣカード読み書き装置１の記憶手段３には、商品販売者用ＩＣカード７中の金額情報との比較を行うための指定残高情報と、売り上げの回収先の情報、すなわち、ホストマシン１３のアクセス先情報とが、記載されている。
【００３８】
上記した構成のＩＣカード読み書き装置１の動作を、図１０のフローチャートに基づいて説明する。
ＩＣカード読み書き装置１の一方のカード装着手段５には、商品販売者用のＩＣカード７が格納されている。この状態で、他方のカード装着手段６にＩＣカードが挿入されると（Ｓ１０−１でＹＥＳとなると）、挿入されたＩＣカードが、ＩＣカード読み書き装置１で使用可能なもので、かつ、商品購入者用ＩＣカード９であるか否かを、マイコン２が判別する（Ｓ１０−２）。挿入されたＩＣカードが、ＩＣカード読み書き装置１で使用可能でない場合、もしくは、商品購入者用ＩＣカード９でない場合には、カード利用者に対して、挿入されたＩＣカードが取引不可のものである旨を通知する（Ｓ１０−１０）。
【００３９】
挿入されたＩＣカードが、ＩＣカード読み書き装置１で使用可能な商品購入者用ＩＣカード９である場合には、自動販売機１４の押されたボタンに対応した金額情報の移動を、商品購入者用ＩＣカード９から商品販売者用ＩＣカード７に行う（Ｓ１０−３）。その後、マイコン２は、商品販売者用ＩＣカード７の残高を読み出す（Ｓ１０−４）とともに、記憶手段３に設定されている指定残高を取得して（Ｓ１０−５）、ＩＣカード７の残高（金額情報）と指定残高とを比較する（Ｓ１０−６）。そして、ＩＣカード７の残高（金額情報）≧設定残高となっている場合には、マイコン２は、公衆回線１２に接続されたホストマシン１３のアクセス先を記憶手段３から読み出し（Ｓ１０−７）、公衆回線１２を利用してホストシステム１３に接続する（Ｓ１０−８）。この接続終了後、商品販売者用ＩＣカード７の中の自動販売機１４の売り上げの金額情報を、ホストマシン１３にマイコン２が移動させる（Ｓ１０−９）。これにより、自動販売機１４の売り上げを、ホストマシン１３において回収することができる。
【００４０】
図１１は、本発明の第６実施形態に係るＩＣカード読み書き装置の構成図であり、同図において、１５はＩＣカード読み書き装置１中の時刻設定手段、２ｇは設定された時刻を認知し所定の制御を行う指定時刻認知制御部である。
また、本実施形態におけるＩＣカード読み書き装置１の記憶手段３には、売り上げの回収先の情報、すなわち、ホストマシン１３のアクセス先情報が記載されている。
【００４１】
上記した構成のＩＣカード読み書き装置１の動作を、図１２のフローチャートに基づいて説明する。
ここでも、自動販売機１４内のＩＣカード読み書き装置１の一方のカード装着手段５には、商品販売者用のＩＣカード７が格納されている。この状態で、いま、商品販売者が、ホストマシン１３に金額情報の転送を行いたい（売り上げの回収をさせたい）、任意の時刻を時刻設定手段１５にセットする（Ｓ１２−１）と、マイコン２は、イベント発生待ちの状態となり、イベントが発生するまで待機している（Ｓ１２−２）。
【００４２】
その後、発生したイベントが、カード装着手段６への商品購入者用ＩＣカード９の挿入である場合には、挿入された商品購入者用ＩＣカード９が、このＩＣカード読み書き装置１で使用可能なものか否かを、マイコン２が判別する（Ｓ１２−３）。使用可能な商品購入者用ＩＣカード９の場合には、マイコン２は、自動販売機１４の押されたボタンに対応した金額情報の移動を、商品購入者用ＩＣカード９から商品販売者用ＩＣカード７に行う（Ｓ１２−４）。また、商品購入者用ＩＣカード９が使用不能と判断された場合には、カード利用者に対して、挿入された商品購入者用ＩＣカード９が取引不可のものである旨を通知する（Ｓ１２−８）。
【００４３】
一方、予め指定された時刻になって、指定時刻認知制御部２ｇから指定時刻通知のイベントが発生した場合には、マイコン２は、公衆回線１２に接続されたホストマシン１３のアクセス先を記憶手段３から読み出し（Ｓ１２−５）、公衆回線１２を利用してホストシステム１３に接続する（Ｓ１２−６）。この接続終了後、商品販売者用ＩＣカード７の中の自動販売機１４の売り上げの金額情報を、ホストマシン１３にマイコン２が移動させる（Ｓ１０−９）。これにより、自動販売機１４の売り上げを、ホストマシン１３において回収することができる。
【００４４】
図１３は、本発明の第７実施形態に係るＩＣカード読み書き装置の構成図であり、同図において、１６はＩＣカード読み書き装置１中の携帯端末接続手段、１７はＩＣカード読み書き装置１に接続可能な携帯端末である。
また、本実施形態において使用する商品販売者用ＩＣカード７には、当該ＩＣカード読み書き装置１において金額情報を回収することが許可されている携帯端末であることを示す特有な端末ＩＤと、当該ＩＣカード読み書き装置１において金額情報を回収することが許可されている携帯端末の所持者であることを示す特有の暗証番号とが、記載されている。また、携帯端末１７には、特定のＩＣカード読み書き装置１のみにおいて金額情報を回収することが許可されている携帯端末であることを示す特有な端末ＩＤと、特定のＩＣカード読み書き装置１のみにおいて金額情報を回収することが許可されている携帯端末の所持者であることを示す特有の暗証番号とが、記載されている。
【００４５】
上記した構成のＩＣカード読み書き装置１の動作を、図１４のフローチャートに基づいて説明する。
ＩＣカード読み書き装置１の一方のカード装着手段５には、商品販売者用のＩＣカード７が格納されている。この状態で、携帯端末１７をＩＣカード読み書き装置１の携帯端末接続手段１６に接続する（Ｓ１４−１）と、この接続された携帯端末１７が、ＩＣカード読み書き装置１で使用可能なものか否かを、マイコン２が判別する（Ｓ１４−２）。
【００４６】
使用可能な携帯端末１７であると判断された場合には、マイコン２は、商品販売者用ＩＣカード７の中に記載されている、前記した当該ＩＣカード読み書き装置１において金額情報を回収することが許可されている携帯端末であることを示す特有な端末ＩＤを読み込む（Ｓ１４−３）。さらに、接続された端末装置１７の適宜メモリ手段に記載されている、前記した特定のＩＣカード読み書き装置１のみにおいて金額情報を回収することが許可されている携帯端末であることを示す端末ＩＤを、マイコン２が読み込む（Ｓ１４−４）。そして次に、読み込んだ２つの端末ＩＤの比較を、マイコン２が行う（Ｓ１４−５）。また、このＩＣカード読み書き装置１で使用できない携帯端末１７であると判断された場合には、マイコン２は、接続された携帯端末１７が使用不可である旨を通知する（Ｓ１４−１２）。
【００４７】
そして、読み込んだ２つの上記した端末ＩＤが等しい場合には、マイコン２は、携帯端末１７の使用者に対して、暗証番号を入力することを要求して、入力された暗証番号を認知する（Ｓ１４−６）とともに、商品販売者用ＩＣカード７の中に記載されている暗証番号を読み出し（Ｓ１４−７）、２つの暗証番号が一致するか否かを判定する（Ｓ１４−８）。また、読み込んだ２つの上記した端末ＩＤが等しくない場合には、接続された携帯端末１７では、このＩＣカード読み書き装置１においては金額情報の回収ができない旨を、携帯端末１７の使用者に対して通知する（Ｓ１４−１０）。
【００４８】
上記２つの暗証番号が等しい場合には、マイコン２は、正しい暗証番号が入力されたと（適正な携帯端末の保持者（使用者）であると）判断して、商品販売者用ＩＣカード７の中の自動販売機１４の売り上げの金額情報を、携帯端末１７に移動させる（Ｓ１４−９）。これにより、自動販売機１４の売り上げを、携帯端末１７によって回収することができる。また、２つの暗証番号が等しくない場合には、入力された暗証番号が正しくないことを、携帯端末１７の使用者に対して通知する（Ｓ１４−１１）。
【００４９】
図１５は、本発明の第８実施形態に係るＩＣカード読み書き装置の構成図である。本実施形態が先の第７実施形態と相違するのは、前記第７実施形態においては、商品販売者用ＩＣカード７に、当該ＩＣカード読み書き装置１において金額情報を回収することが許可されている携帯端末であることを示す特有な端末ＩＤと、当該ＩＣカード読み書き装置１において金額情報を回収することが許可されている携帯端末の所持者であることを示す特有の暗証番号とを記憶させていたものを、商品販売者用ＩＣカード７ではなく、ＩＣカード読み書き装置１の記憶手段３に記憶させている点にある。
【００５０】
上記した構成のＩＣカード読み書き装置１の動作を、図１６のフローチャートに基づいて説明する。
ＩＣカード読み書き装置１の一方のカード装着手段５には、商品販売者用のＩＣカード７が格納されている。この状態で、携帯端末１７をＩＣカード読み書き装置１の携帯端末接続手段１６に接続する（Ｓ１６−１）と、この接続された携帯端末１７が、ＩＣカード読み書き装置１で使用可能なものか否かを、マイコン２が判別する（Ｓ１６−２）。
【００５１】
使用可能な携帯端末１７であると判断された場合には、マイコン２は、記憶手段３の中に記載されている、前記した当該ＩＣカード読み書き装置１において金額情報を回収することが許可されている携帯端末であることを示す特有な端末ＩＤを読み込む（Ｓ１６−３）。さらに、接続された端末装置１７の適宜メモリ手段に記載されている、前記した特定のＩＣカード読み書き装置１のみにおいて金額情報を回収することが許可されている携帯端末であることを示す端末ＩＤを、マイコン２が読み込む（Ｓ１６−４）。そして次に、読み込んだ２つの端末ＩＤの比較を、マイコン２が行う（Ｓ１６−５）。また、このＩＣカード読み書き装置１で使用できない携帯端末１７であると判断された場合には、マイコン２は、接続された携帯端末１７が使用不可である旨を、携帯端末１７の使用者に対して通知する（Ｓ１６−１２）。
【００５２】
そして、読み込んだ２つの上記した端末ＩＤが等しい場合には、マイコン２は、携帯端末１７の使用者に対して、暗証番号を入力することを要求して、入力された暗証番号を認知する（Ｓ１６−６）とともに、記憶手段３の中に記載されている暗証番号を読み出し（Ｓ１６−７）、２つの暗証番号が一致するか否かを判定する（Ｓ１６−８）。また、読み込んだ２つの上記した端末ＩＤが等しくない場合には、接続された携帯端末１７では、このＩＣカード読み書き装置１においては金額情報の回収ができないことを、携帯端末１７の使用者に対して通知する（Ｓ１６−１０）。
【００５３】
上記２つの暗証番号が等しい場合には、マイコン２は、正しい暗証番号が入力されたと（適正な携帯端末の保持者（使用者）であると）判断して、商品販売者用ＩＣカード７の中の自動販売機１４の売り上げの金額情報を、携帯端末１７に移動させる（Ｓ１６−９）。これにより、自動販売機１４の売り上げを、携帯端末１７によって回収することができる。また、２つの暗証番号が等しくない場合には、入力された暗証番号が正しくないことを、携帯端末１７の使用者に対して通知する（Ｓ１６−１１）。
【００５４】
上述した第７および第８実施形態において、ＩＣカード読み書き装置１に付設もしくは必要に応じて接続されるキー入力装置などの入力装置によって、前記した当該ＩＣカード読み書き装置１において金額情報を回収することが許可されていることを示す端末ＩＤの情報、および／または、前記した当該ＩＣカード読み書き装置１において金額情報を回収することが許可されている携帯端末の所持者であることを示す暗証番号の情報を、商品販売者用ＩＣカード７または記憶手段３に設定できるようにしても、差し支えない。
【００５５】
また、上述した第７および第８実施形態においては、前記の暗証番号を携帯端末１７に書き込んでいるが、場合によっては、暗証番号は、携帯端末１７に記憶させないようにしても、差し支えない。
【００５６】
また、上述した第７および第８実施形態においては、接続された携帯端末が、当該ＩＣカード読み書き装置１において金額情報を回収することが許可されている携帯端末である否かの判定を端末ＩＤの比較で行い、さらに、携帯端末の所持者が適正か否かの判定を暗証番号の比較で行っているが、場合によっては、端末ＩＤが一致するという条件だけ、もしくは、暗証番号が一致するという条件だけで、商品販売者用ＩＣカード７の中の金額情報を、携帯端末１７に移動させるようにしてもよい。
【００５７】
なおまた、上述した第１〜第８実施形態において、回収する金額情報の量を、回収する側の操作者が適宜に選択できるようにしてもよい。
【００５８】
【発明の効果】
以上のように本発明によれば、ＩＣカード読み書き装置の中の徴収用ＩＣカードをＩＣカード読み書き装置から外さなくても、ＩＣカード読み書き装置の中の徴収用ＩＣカードから金額情報を回収できるので、売り上げの回収操作が簡単・容易なものとなる。
【図面の簡単な説明】
【図１】本発明の第１実施形態に係るＩＣカード読み書き装置の構成図である。
【図２】本発明の第１実施形態に係るＩＣカード読み書き装置の動作を示すフローチャート図である。
【図３】本発明の第２実施形態に係るＩＣカード読み書き装置の構成図である。
【図４】本発明の第２実施形態に係るＩＣカード読み書き装置の動作を示すフローチャート図である。
【図５】本発明の第３実施形態に係るＩＣカード読み書き装置の構成図である。
【図６】本発明の第３実施形態に係るＩＣカード読み書き装置の動作を示すフローチャート図である。
【図７】本発明の第４実施形態に係るＩＣカード読み書き装置の構成図である。
【図８】本発明の第４実施形態に係るＩＣカード読み書き装置の動作を示すフローチャート図である。
【図９】本発明の第５実施形態に係るＩＣカード読み書き装置の構成図である。
【図１０】本発明の第５実施形態に係るＩＣカード読み書き装置の動作を示すフローチャート図である。
【図１１】本発明の第６実施形態に係るＩＣカード読み書き装置の構成図である。
【図１２】本発明の第６実施形態に係るＩＣカード読み書き装置の動作を示すフローチャート図である。
【図１３】本発明の第７実施形態に係るＩＣカード読み書き装置の構成図である。
【図１４】本発明の第７実施形態に係るＩＣカード読み書き装置の動作を示すフローチャート図である。
【図１５】本発明の第８実施形態に係るＩＣカード読み書き装置の構成図である。
【図１６】本発明の第８実施形態に係るＩＣカード読み書き装置の動作を示すフローチャート図である。
【符号の説明】
１  ＩＣカード読み書き装置
２  マイコン
３  記憶手段
４  外部インターフェース部
５  カード装着手段
６  カード装着手段
７  商品販売者用ＩＣカード
８  商品販売者金額回収専用ＩＣカード
９  商品購入者用ＩＣカード
１０  入力装置
１１  通信手段
１２  公衆回線
１３  ホストマシン
１４  自動販売機
１５  時刻設定手段
１６  携帯端末接続手段
１７  携帯端末
【図１】
0003865461.tif 000002
【図２】
0003865461.tif 000003
【図３】
0003865461.tif 000004
【図４】
0003865461.tif 000005
【図５】
0003865461.tif 000006
【図６】
0003865461.tif 000007
【図７】
0003865461.tif 000008
【図８】
0003865461.tif 000009
【図９】
0003865461.tif 000010
【図１０】
0003865461.tif 000011
【図１１】
0003865461.tif 000012
【図１２】
0003865461.tif 000013
【図１３】
0003865461.tif 000014
【図１４】
0003865461.tif 000015
【図１５】
0003865461.tif 000016
【図１６】
0003865461.tif 000017